(57)【特許請求の範囲】
【請求項１】
底板１の１辺に、第１起立側壁２ａ、中央に収納開口部８を有する第１枠体３、第２起立側壁２ｂ、中間固着部４、第３起立側壁２ｃ、中央に収納開口部８を有する第２枠体５、第４起立側壁２ｄ、及び固着片６を、それぞれ罫線４０、罫線４１、罫線４２、罫線４３、罫線４４、罫線４５、罫線４６、及び罫線４７を介して連設され、前記第１起立側壁２ａに、罫線４１間に設けられた罫線４１ａを介して、折り込み片９を設けた中仕切り部１１を具備したブランクシートを、前記罫線４０により、前記底板１から起立させ、前記罫線４３、罫線４４、罫線４７は、谷折り、前記罫線４１、罫線４２、罫線４５、罫線４６は、山折りし、第１枠体３と第２枠体５を底板１から離間し、中間固着部４と固着片６を、底板１に接するように組み立て、前記中間固着部４と固着片６を、底板１に固着すると共に、前記折り込み片９を罫線４１ａから下方に折り曲げ、第１起立側壁２ａに固着し、
前記第１起立側壁２ａに、罫線４０部分を除き、３方を切込み７ａで囲まれた舌片７が形成されていることを特徴とする中仕切り。
【請求項２】
前記折り込み片９が、折り曲げた際に、先端が底板１に接しない長さとしたことを特徴とする請求項１に記載の中仕切り。
【請求項３】
請求項１または２に記載の中仕切りを外箱に収納したことを特徴とする中仕切りを備えた包装箱。
【発明の詳細な説明】
【技術分野】
【０００１】
本発明は、商品等を体裁よく並べたり、動かないようこれらを支えたり、係止したり、しきったりする中仕切り及びこの中仕切りを備えた包装箱に関するものである。
【背景技術】
【０００２】
従来から、包装箱にお菓子等をきれいに並べて収納する中仕切りとして、プラスチックシートを真空成形等により、立体的に成形した仕切り部材が使用されていた。
一方、環境を考慮した、前記プラスチック製仕切り部材に代えて、紙製の仕切り部材が用いられている。例えば、包装箱に商品を並べて収納する際に、紙製の帯状枠体を井桁に組んでいたり、一枚の紙を階段状に多数の折り目をつけたりしてこれらの各区画の中に菓子等の商品を入れたり、また中底を設けて、この中底に設けた多数の各穴の中に菓子等の商品を収納する中仕切りが提案されている（特許文献１、２参照）。
【先行技術文献】
【特許文献】
【０００３】
【特許文献１】実開昭６２−１２２０１５号公報
【特許文献２】実開平６−６９１１８号公報
【発明の概要】
【発明が解決しようとする課題】
【０００４】
しかしながら、これら従来の中仕切は菓子等の商品の大きさに合わせて予め、井桁状に枠体を設けた複数の部材を組み合わせる構造であった。
また、１枚の部材を用いた構造としては、紙基材に階段状に折り目をつけ、この折り目に従った凹凸仕切りを形成するものがあるが、紙基材に戻りのない折り目をつけるのは極めて手間のかかる作業であった。
【０００５】
そこで、本発明は、１枚の紙基材からなり、不要時は偏平と成って場所を取らず、使用時には組立が極めて容易であり、商品の大きさや使用者の好みによって自由に商品の配列や配置を替えることができ中仕切りを提供して上記の課題を解決することを目的とするものである。
【課題を解決するための手段】
【０００６】
そこで、請求項１に記載の発明は、底板１の１辺に、第１起立側壁２ａ、中央に収納開口部８を有する第１枠体３、第２起立側壁２ｂ、中間固着部４、第３起立側壁２ｃ、中央に収納開口部８を有する第２枠体５、第４起立側壁２ｄ、及び固着片６を、それぞれ罫線４０、罫線４１、罫線４２、罫線４３、罫線４４、罫線４５、罫線４６、及び罫線４７を介して連設され、前記第１起立側壁２ａに、罫線４１間に設けられた罫線４１ａを介して、折り込み片９を設けた中仕切り部１１を具備したブランクシートを、前記罫線４０により、前記底板１から起立させ、前記罫線４３、罫線４４、罫線４７は、谷折り、前記罫線４１、罫線４２、罫線４５、罫線４６は、山折りし、第１枠体３と第２枠体５を底板１から離間し、中間固着部４と固着片６を、底板１に接するように組み立て、前記中間固着部４と固着片６を、底板１に固着すると共に、前記折り込み片９を罫線４１ａから下方に折り曲げ、第１起立側壁２ａに固着し、
前記第１起立側壁２ａに、罫線４０部分を除き、３方を切込み７ａで囲まれた舌片７が形成されていることを特徴とする中仕切りである。
【０００７】
削除。
【０００８】
また、請求項２に記載の発明は、前記折り込み片９が、折り曲げた際に、先端が底板１に接しない長さとしたことを特徴とする請求項１に記載の中仕切りである。
【０００９】
また、請求項３に記載の発明は、請求項１または２に記載の中仕切りを外箱に収納したことを特徴とする中仕切りを備えた包装箱である。
【発明の効果】
【００１０】
請求項１の発明によれば、収納する内容物の大きさ、数により、罫線の間隔、開口部の大きさ、数を変えることにより、対応可能であり、また、底板から起立した第１起立側壁２ａは、折り込み片９が罫線４１ａから下方に折り曲げられ、二重構造となっているので、中仕切り２０を外箱に収納する際、安定した収納作業ができる。
【００１１】
また、請求項１の発明によれば、第１起立側壁２ａに、罫線４０部分を除き、３方を切込み７ａで囲まれた舌片７が形成されているので、前記舌片７は、下端が連結して外方に突出した状態となるので、外箱に収納においては邪魔にならず、また、外箱に収納後は、舌片７が外箱の内面に接する状態となり、安定した収納状態を保つことができる。
【００１２】
また、請求項２の発明によれば、折り込み片９が、折り曲げた際に、先端が底板１に接しない長さとしたので、第１起立側壁２ａの上部は二重構造、下部は一重構造となり、中仕切り２０を外箱に収納する際、安定した収納作業ができ、しかも、ブランクシートから中仕切り部を組み起こすことが容易に行うことができる。
【００１３】
また、請求項３の発明によれば、紙、または紙とプラスチックシートを組み合わせた複合シートからなる素材のブランクシートから形成された中仕切りであっても、容易に外箱に収納することができ、また、収納後も中仕切りを安定した状態で維持することができる。
【図面の簡単な説明】
【００１４】
【図１】本発明の中仕切りに用いるブランクシートの一例を示す平面図である。
【図２】図１のブランクシートを組み立てた中仕切りを示す説明図である。
【図３】図２の中仕切りの要部を示す説明図である。
【図４】図２の中仕切りに使用形態の一例を示す説明図である。
【発明を実施するための形態】
【００１５】
本発明の中仕切りは、図１に示すように、ブランクシート１０は、底板１の１辺に、第１起立側壁２ａ、中央に収納開口部８を有する第１枠体３、第２起立側壁２ｂ、中間固着部４、第３起立側壁２ｃ、中央に収納開口部８を有する第２枠体５、第４起立側壁２ｄ、及び固着片６を、それぞれ罫線４０、罫線４１、罫線４２、罫線４３、罫線４４、罫線４５、罫線４６及び罫線４７を介して連設された中仕切り部１１が設けられている。
前記ブランクシート１０を形成する素材は、紙、または紙とプラスチックシートを組み合わせた複合シート、また、前記シートに、適宜模様、着色を施したシートを用いることが好ましい。
【００１６】
ここで、前記第1枠体３には、第１起立側壁２ａと第２起立側壁２ｂを連結する連結部３ａ、連結部３ａ、及び第2枠体５には、第１起立側壁２ｃと第２起立側壁２ｄを連結する連結部５ａ、連結部５ａを具備している。
また、第１起立側壁２ａは、罫線４０部分を除き、３方を切込み７ａで囲まれた舌片７が形成され、かつ、前記第１起立側壁２ａに、罫線４１間に設けられた罫線４１ａを介して、折り込み片９が設けられている。
【００１７】
そして、前記中仕切り部１１は、前記罫線４０により、前記底板１から起立させ、前記罫線４３、罫線４４、罫線４７は、谷折り、前記罫線４１、罫線４２、罫線４５、罫線４６は、山折りし、第１枠体３と第２枠体５を底板１から離間し、中間固着部４と固着片６を、底板１に接するように組み立てる。
【００１８】
次に、前記中間固着部４と固着片６を、底板１に固着すると共に、前記折り込み片９を罫線４１ａから下方に折り曲げ、第１起立側壁２ａに固着することにより、中仕切り２０が完成する。
ここで、前記折り込み片９を罫線４１ａから下方に折り曲げ、第１起立側壁２ａに固着する。中間固着部４、固着片６、及び折り込み片９の固着は、接着剤を用いて接着する他、前記固着片６は、図示しないが、差込片を設け、底板に差し込むことにより固定してもよい。
【００１９】
また、図３に示すように、中仕切り２０は、第１起立側壁２ａが罫線４１ａから下方に折り曲げられた折り込み片９が固着された二重構造となっているので、図４に示すように、中仕切り２０を外箱３０に収納する際、安定した収納作業ができる。
この折り込み片９は、折り曲げた際に、先端が底板１に接しない長さであればよい。
さらに、第１起立側壁２ａには、罫線４０部分を除き、３方を切込み７ａで囲まれた舌片７が形成されているので、折り込み片９が固着された二重構造となっていても、容易に組み起こすことができる。
前記舌片７は、組み起ことを考慮して、１つに限らず、２つ以上適宜設けてもよいが、外箱４０の内面に安定して接するようにするため、２つ以上設けることが好ましい。
【００２０】
そして、舌片７は、紙製素材からなるので、下端が連結して外方に突出した状態となり、図４に示す、外箱３０に収納するときには邪魔にならず、そして、外箱４０に収納後は、前記舌片７が、外方に突出し、外箱４０の内面に接する状態となるので、動いたりせず、安定した収納状態を保つことができる。
さらに、前記折り込み片９は、折り曲げた際に、先端が底板１に接しない長さとすることにより、第１起立側壁２ａの上部は二重構造、下部は一重構造となり、中仕切り２０を外箱に収納する際、変形が少なく、安定した収納作業ができ、しかも、ブランクシート１０から中仕切り部１１を組み起こすことが容易に行うことができる。
【００２１】
そして、前記中仕切りは、紙を主体とするものでありながら、簡単に組み立てられ、しかも、外箱への収納が容易で、また、収納後も安定した状態で維持されるので、従来のプラスチックシートを成形した中仕切りに代わるものとして用いることができる。
【符号の説明】
【００２２】
１  底板
２ａ  第１起立側壁
２ｂ  第２起立側壁
２ｃ  第３起立側壁
２ｄ  第４起立側壁
３  第１枠体
３ａ、５ａ  連結部
４  中間固着部
５  第２枠体
６  固着片
７  舌片
７ａ  切込み
８  収納開口部
９  折り返し片
１１  中仕切り部
２０  中仕切り
３０  外箱
４０、４１、４１ａ、４２、４３、４４，４５、４６、４７  罫線
【図１】
0005515456.tif 000002
【図２】
0005515456.tif 000003
【図３】
0005515456.tif 000004
【図４】
0005515456.tif 000005